(57)【要約】【課題】玉掛作業において、作業者が揚重物に触れることなく、揚重物の姿勢調整作業や着床位置調整作業を容易かつ安全に行うことができる仮設ハンドルを提供する。【解決手段】仮設ハンドル１００は、磁石吸着性を有する金属製の揚重物に係脱可能に吸着する磁力吸着部を有する平板状のベース部材１０と、ベース部材１０の上面１０ａの中央部分に配置された少なくとも片手で把持可能なグリップ２と、ベース部材１０の上面１０ａの端部１０ｃ寄りの部分に立設された離脱レバー３とを備えている。離脱レバー３の本体部３ａにはく字状の折曲部３ｃが設けられている。【選択図】図１
0003212882.tif 000002
【実用新案登録請求の範囲】
【請求項１】
磁石吸着性を有する金属製の揚重物に係脱可能に吸着する磁力吸着部を有するベース部材と、前記ベース部材に配置された少なくとも片手で把持可能なグリップを備えた仮設ハンドル。
【請求項２】
前記磁力吸着部が、前記ベース部材の一面に着脱可能に取付けられた複数の磁石を備えた請求項１記載の仮設ハンドル。
【請求項３】
前記揚重物から前記ベース部材を離脱させる方向の外力を付与するための離脱レバーを備えた請求項１または２記載の仮設ハンドル。
【請求項４】
前記離脱レバーが、前記ベース部材に設けられた複数の取付部に着脱可能である請求項３記載の仮設ハンドル。
【請求項５】
前記離脱レバーが、前記ベース部材に起立状に取り付けられた直線状の本体部と、前記本体部の端部側に設けられた操作部を備えた請求項３または４記載の仮設ハンドル。
【請求項６】
前記本体部の一部が、く字状をなす折曲部若しくは円弧状をなす湾曲部である請求項５記載の仮設ハンドル。
【考案の詳細な説明】
【技術分野】
【０００１】
本考案は、磁石吸着性を有する金属製の物品を天井クレーンやウインチなどを使用して所定位置まで移動させる玉掛作業を行う場合に、吊下状態にある物品の姿勢を保持したり、物品を着床するときの位置決めを行ったりするために使用する仮設ハンドルに関する。
【背景技術】
【０００２】
玉掛作業において、金属製の物品（揚重物）を天井クレーンなどで揚重し、所定位置まで移動する際に、揚重物の姿勢や着床位置を調整するため、ハンドルタイプの鉤状工具が使用されている。鉤状工具の使い方は一義的に決まっている訳ではないが、玉掛作業者が手に持った鉤状工具の先端部（鉤状部）を、吊下状態にある揚重物やワイヤに引っ掛けて、揚重物の動きを制止したり、着床時の位置決めを行ったりするのが一般的である。
【０００３】
一方、本考案に関連する従来技術として、例えば、特許文献１に記載された「永久磁気装置」などがある。この「永久磁気装置」は、強磁性ワークの吊下げや保持を行うための装置であり、強磁性ハウジングブロックと、強磁性ハウジングブロックの空洞内部に収容された切換え可能な磁石構成と、を含んでいる。切換え可能な磁石構成は、ハウジングブロックの長手方向軸に沿って一連に交互配置された双極磁石ユニットを含んでいる。
【０００４】
前記「永久磁気装置」において、ハウジングブロックの一方の端部に配置された手動操作ハンドルを傾動操作して作動アセンブリを回動させると、交互配置された双極磁石ユニットを構成する回転可能磁石が回動し、双極磁石ユニットユニットによって発生する磁界（強磁性ワークに対する磁気吸着力）が「オン」、「オフ」される。
【先行技術文献】
【特許文献】
【０００５】
【特許文献１】特表２０１６−５３９０６２号公報
【考案の概要】
【考案が解決しようとする課題】
【０００６】
従来のハンドルタイプの鉤状工具は、吊下状態にある揚重物やワイヤに引っ掛けて玉掛作業を行うので、揚重物が回転したり、揺動したりすると制止が困難となり、着床位置精度が求められる場合、位置決め調整を繰り返し行う必要があり、多大な労力と時間を要することが多い。
【０００７】
一方、特許文献１に記載された「永久磁気装置」は、強磁性ワークに直接吸着させて吊下げや保持を行うための装置であり、極めて強力な大型磁石と複雑な磁気吸着力オン・オフ機構を具備しているため、玉掛作業における揚重物の姿勢調整や着床位置調整などに使用することが困難である。
【０００８】
そこで、本考案が解決しようとする課題は、玉掛作業において、作業者が揚重物に触れることなく、揚重物の姿勢調整作業や着床位置調整作業を容易かつ安全に行うことができる仮設ハンドルを提供することにある。
【課題を解決するための手段】
【０００９】
本考案に係る仮設ハンドルは、磁石吸着性を有する金属製の揚重物に係脱可能に吸着する磁力吸着部を有するベース部材と、前記ベース部材に配置された少なくとも片手で把持可能なグリップを備えたことを特徴とする。
【００１０】
前記仮設ハンドルにおいては、前記磁力吸着部が、前記ベース部材の一面に着脱可能に取付けられた複数の磁石を備えたものであることが望ましい。
【００１１】
前記仮設ハンドルにおいては、前記揚重物から前記ベース部材を離脱させる方向の外力を付与するための離脱レバーを備えたものとすることができる。
【００１２】
前記仮設ハンドルにおいては、前記離脱レバーが、前記ベース部材に設けられた複数の取付部に着脱可能であることが望ましい。
【００１３】
前記仮設ハンドルにおいては、前記離脱レバーが、前記ベース部材に起立状に取り付けられた直線状の本体部と、前記本体部の端部側に設けられた操作部を備えたものとすることができる。
【００１４】
前記仮設ハンドルにおいては、前記本体部の一部が、く字状をなす折曲部若しくは円弧状をなす湾曲部であるようにすることができる。
【考案の効果】
【００１５】
本考案により、玉掛作業において、作業者が揚重物に触れることなく、揚重物の姿勢調整作業や着床位置調整作業を容易かつ安全に行うことができる仮設ハンドルを提供することができる。
【図面の簡単な説明】
【００１６】
【図１】本考案の実施形態である仮設ハンドルを示す斜視図である。
【図２】図１中の矢線Ａ方向から見た仮設ハンドルの斜視図である。
【図３】図１に示す仮設ハンドルの使用状態を示す一部省略斜視図である。
【図４】本考案のその他の実施形態である仮設ハンドルを示す斜視図である。
【図５】本考案のその他の実施形態である仮設ハンドルを示す斜視図である。
【考案を実施するための形態】
【００１７】
以下、図１〜図５に基づいて、本考案の実施形態である仮設ハンドル１００，２００，３００について説明する。
【００１８】
図１〜図３に基づいて、仮設ハンドル１００について説明する。図１，図２に示すように、仮設ハンドル１００は、磁石吸着性を有する金属製の揚重物Ｍ（図３参照）に係脱可能に吸着する磁力吸着部１を有する平板状のベース部材１０と、ベース部材１０の上面１０ａの中央部分に配置された少なくとも片手で把持可能なグリップ２と、ベース部材１０の上面１０ａの端部１０ｃ寄りの部分に立設された離脱レバー３とを備えている。
【００１９】
ベース部材１０は軽金属（例えば、アルミニウムなど）で形成された長方形平板状の部材である。ベース部材１０のサイズは限定しないが、本実施形態では、長辺方向の長さを２７２ｍｍ、短辺方向の長さを６０ｍｍ、最大厚みを１５ｍｍとしている。ベース部材１０の上面１０ａの中央部分に、ベース部材１０の長辺方向及び上面１０ａと平行をなす円管状のグリップ２が取り付けられている。グリップ２は、その両端部分が、絶縁材料で形成されたブラケット２ａ，２ａを介してベース部材１０に着脱可能に取付けられている。
【００２０】
ベース部材１０の端部１０ｃ，１０ｄ寄りの部分には、それぞれ、離脱レバー３の取付部となる雌ネジ孔１１，１２が開設され、一方の端部１０ｃ寄りの雌ネジ孔１１に離脱レバー３の基端側の雄ネジ部３ｍが螺着されている。離脱レバー３の雄ネジ部３ｍは、ベース部材１０の上面１０ａ側に配置された座金４及びナット５によって着脱可能に固定されている。離脱レバー３の雄ネジ部３ｍは、他方の端部１０ｄ寄りの雌ネジ孔１２にも螺着可能である。
【００２１】
離脱レバー３は、揚重物Ｍ（図３参照）に吸着させた仮設ハンドル１００を揚重物Ｍから取り外すときに使用するものであり、具体的には、揚重物Ｍからベース部材１０を離脱させる方向の外力Ｐ（図１参照）を付与するための部材である。離脱レバー３は、ベース部材１０に起立状に取り付けられた直線状の本体部３ａと、本体部３ａの先端側に設けられた操作部３ｂと、を備えている。本体部３ａの一部（本体部３ａの長さ方向の中央より少し雄ネジ部３ｍ寄りの部分）に、く字状をなす折曲部３ｃが設けられている。
【００２２】
図２に示すように、ベース部材１０の底面１０ｂには、長方形状の複数の凹部１３が設けられ、それぞれの凹部１３内に磁石１４がネジ１５によって着脱可能に取り付けられている。凹部１３の長辺方向の長さは、ベース部材１０の短辺方向の長さより小である。ベース部材１０の端部１０ｃ，１０ｄ寄りに位置する凹部１３，１３はそれぞれの長辺方向がベース部材１０の短辺方向と平行をなすように配置されている。ベース部材１０の中央寄りに位置する凹部１３，１３はそれぞれの長辺方向がベース部材１０の長辺方向と平行をなすように配置されている。
【００２３】
仮設ハンドル１００においては、ベース部材１０の底面１０ｂに設けられた複数の凹部１３にそれぞれ磁石１４を取り付けることよって磁力吸着部１が形成されている。仮設ハンドル１００の磁力吸着部１は４個の磁石１４を備えているが、凹部及び磁石のサイズや個数、配置形態などは限定されないので、磁力吸着部１に求められる吸着力に応じて、磁石の個数やサイズなどを変更することができる。即ち、磁力吸着部１に求められる吸着力は、揚重物の質量により決定されることから、磁力吸着部１を複数の磁石１４で構成することにより、揚重物の質量に応じて、適宜、磁石１４を取り外したり、再装着したりすることが可能となるので、玉掛作業に最適な吸着力を確保することができる。
【００２４】
次に、図３に基づいて、仮設ハンドル１００の使い方などについて説明する。図３に示すように、鋼板などの揚重物Ｍの玉掛作業を行う場合、揚重物Ｍの表面Ｍａに仮設ハンドル１００を吸着させた後、天井クレーン（図示せず）及びワイヤＷなどによって揚重物Ｍを吊り上げる。この場合、仮設ハンドル１００のベース部材１０の底面１０ｂの磁力吸着部１を揚重物Ｍの表面Ｍａに吸着させることによって仮設ハンドル１００を揚重物Ｍに取り付ける。
【００２５】
揚重物Ｍの表面Ｍａ上に取り付けられた仮設ハンドル１００は揚重物Ｍと一体化しているので、図３に示すように、仮設ハンドル１００のグリップ２を作業者が手Ｈで把持すれば、作業者の意志により、揚重物Ｍの姿勢を一定状態に保持したり、揚重物Ｍを着床したりするときの位置決めなどを容易に行うことができる。このように、玉掛作業において仮設ハンドル１００を使用すれば、作業者が揚重物ＭやワイヤＷに触れることなく、揚重物Ｍの姿勢調整作業や着床位置調整作業を容易かつ安全に行うことができる。
【００２６】
仮設ハンドル１００の磁力吸着部１を構成する磁石１４の磁力は限定しないが、揚重物Ｍの表面Ｍａに吸着させた仮設ハンドル１００のグリップ２を手Ｈで把持して表面Ｍａと平行な力を加えたとき、仮設ハンドル１００が表面Ｍａに沿ってスライドしたり、表面Ｍａから離れたりしない程度の磁力を有することが望ましい。
【００２７】
揚重物Ｍを所定の位置に着床させた後、仮設ハンドル１００の離脱レバー３の操作部３ｂに、揚重物Ｍからベース部材１０を離脱させる方向の外力Ｐ（図１参照）を与えると、梃の原理により、ベース部材１０の底面１０ｂの一方の長辺部分が揚重物Ｍの表面Ｍａが離れるので、この後、グリップ２を手Ｈで把持して持ち上げれば、揚重物Ｍから仮設ハンドル１００を容易に離脱させることができる。
【００２８】
質量が比較的大きい揚重物Ｍの玉掛作業中に、仮設ハンドル１００が揚重物Ｍから安易に離脱しないように、仮設ハンドル１００の磁力吸着部１の吸着力は比較的大きく設定されているが、図１に示すように、仮設ハンドル１００の離脱レバー３はく字状の折曲部３ｃを有しているので、操作部３ｂに外力Ｐを加えたとき、梃の原理が有効に作用し、磁力吸着部１の吸着力が大であっても、揚重物Ｍからの離脱作業が容易である。また、揚重物Ｍから離脱させた後の仮設ハンドル１００単独の重量は作業者が片手で持ち運べる程度の重量であるため、取り扱いも容易である。
【００２９】
離脱レバー３における折曲部３ｃの位置は限定しないので、揚重物のサイズや形状、その他の使用状況に応じて、雄ネジ部３ｍ（図２参照）寄りの部分に折曲部３ｃを設けたり、操作部３ｂ寄りの部分に折曲部３ｃを設けたりすることができる。また、仮設ハンドル１００においては、く字状の折曲部３ｃの代わりに、円弧状の湾曲部（図示せず）を設けることもできる。
【００３０】
次に、図４，図５に基づいて、本考案のその他の実施形態である仮設ハンドル２００，３００について説明する。なお、図４，図５に示す仮設ハンドル２００，３００の構成部分において、図１〜図３に示す仮設ハンドル１００の構成部分と共通する部分については、図１〜図３中の符号と同符号を付して説明を省略する。
【００３１】
図４に示す仮設ハンドル２００は、ベース部材１０と、ベース部材１０の端部１０ｃ寄りに立設された離脱レバー６と、を備えている。仮設ハンドル２００においては、離脱レバー６が、ベース部材１０に起立状に取り付けられた直線状の本体部６ａと、本体部６ａの端部側に設けられた操作部６ｂと、を備えている。
【００３２】
次に、図５に示す仮設ハンドル３００は、平板状のベース部材１０と、ベース部材１０の上面１０ａの中央部分に配置されたグリップ２と、を備えている。仮設ハンドル３００は、離脱レバーを有していないので、嵩張らず、コンパクトであるが、揚重物（図示せず）から離脱させるとき、グリップ２を把持して引っ張って揚重物から引き離したり、ベース部材１０を揚重物の表面に沿ってスライドさせて揚重物の端部から引き離したりする必要がある。このため、仮設ハンドル３００の磁力吸着部（図示せず）の吸着力は、前述した仮設ハンドル１００，２００に比べ、小さく設定されており、質量が比較的小さい揚重物の玉掛作業に向いている。
【００３３】
なお、図１〜図５に基づいて説明した仮設ハンドル１００，２００，３００は、本考案に係る仮設ハンドルを例示するものであり、本考案に係る仮設ハンドルは前述した仮設ハンドル１００，２００，３００に限定されない。
【産業上の利用可能性】
【００３４】
本考案に係る仮設ハンドルは、クレーンなどによる玉掛作業が行われる産業分野、例えば、製鉄業、金属加工業、自動車産業、機械製造業、機械修理業などの産業分野において広く利用することができる。
【符号の説明】
【００３５】
１  磁力吸着部
２  グリップ
２ａ  ブラケット
３，６  離脱レバー
３ａ，６ａ  本体部
３ｂ，６ｂ  操作部
３ｍ  雄ネジ部
３ｃ  折曲部
４  座金
５  ナット
１０  ベース部材
１０ａ  上面
１０ｂ  底面
１０ｃ，１０ｄ  端部
１１，１２  雌ネジ孔
１３  凹部
１４  磁石
１５  ネジ
Ｍ  揚重物
Ｍａ  表面
Ｗ  ワイヤ
１００，２００，３００  仮設ハンドル
【図１】
0003212882.tif 000003
【図２】
0003212882.tif 000004
【図３】
0003212882.tif 000005
【図４】
0003212882.tif 000006
【図５】
0003212882.tif 000007